(57)【特許請求の範囲】
【請求項１】
有機物からなる基材と、該基材に含ませた添加物とからなり、該添加物は有機物分解酵素又は有機物分解酵素と有機物分解バクテリアとを組み合わせたものであることを特徴とする動物排泄物処理用材。
【請求項２】
有機物からなる基材と、高吸水性樹脂と、添加物とからなり、該添加物は有機物分解酵素又は有機物分解酵素と有機物分解バクテリアとを組み合わせたものであることを特徴とする動物排泄物処理用材。
【請求項３】
基材は少なくとも吸水性を有するパルプ，植物性繊維屑，紙粉，紙片，木粉，おから，茶殻，コーヒー抽出かす，トウモロコシの芯，ふすま，コーンスターチ，又はでんぷん類のいずれか１種以上を含むことを特徴とする請求項１又は請求項２記載の動物排泄物処理用材。
【請求項４】
形状が粒状，シート状又は布状であることを特徴とする請求項１，請求項２又は請求項３記載の動物排泄物処理用材。
【発明の詳細な説明】
【０００１】
【発明の属する技術分野】
本発明は、動物排泄物処理用材に関するものである。
【０００２】
【従来の技術】
紙等の有機物からなり、ペットの排泄物と共に水洗便所に流すことのできる猫砂等の動物排泄物処理用材が普及しつつある。
【０００３】
しかしながら、水洗便所から流す動物排泄物処理用材の量が増えると、難分解物質であるパルプや高吸水性樹脂が増えるので、それを浄化するための浄化槽や下水処理場の負担が大きくなる。
又、消臭，抗菌方法として吸着剤、マスキング剤、抗菌剤を使用しているが、浄化の観点からは薬剤の使用はできるだけ少なくした方が、安全上好ましい。
【０００４】
更に、流した動物排泄物処理用材がパイプ詰まりを生じさせるおそれがある。
【０００５】
【発明が解決しようとする課題】
そこで、本発明は動物排泄物の臭いを抑えると共に、排水浄化機能を強化することができ、浄化槽や下水処理場の負担を軽減可能な動物排泄物処理用材が求められている。
【０００６】
又、動物排泄物処理用材のパイプ詰まりを抑制でき、更には便器の汚れを防止することが可能な動物排泄物処理用材が求められている。
【０００７】
【課題を解決するための手段】
本発明の請求項１記載の動物排泄物処理用材は、有機物からなる基材と、該基材に含ませた添加物とからなり、該添加物は有機物分解酵素又は有機物分解酵素と有機物分解バクテリアとを組み合わせたものであることを特徴とする。
【０００８】
有機物を主体としているため、分解後の残留物が少ない。有機物分解酵素又は有機物分解酵素と有機物分解バクテリアとが有機物を分解するので、トイレに大量に流した場合でも浄化槽や下水処理場の負担を軽減させることができる。又、配水管から自然界に流出した場合や土壌に廃棄した場合でも分解が早い。
【０００９】
そして、動物排泄物は短期間に分解され消臭されるので、吸着剤，抗菌剤等の薬剤を減らすことができ、安全性が高くなる。
【００１１】
また、有機物分解酵素が便器洗浄剤として働き、便器の汚れが防止される。
【００１３】
尚、本発明は充填材として無機物を含むことをさまたげるものではない。
【００１４】
請求項２の動物排泄物処理用材は、有機物からなる基材と、高吸水性樹脂と、添加物とからなり、該添加物は有機物分解酵素又は有機物分解酵素と有機物分解バクテリアとを組み合わせたものであることを特徴とする。
【００１５】
請求項１の構成に加え、高吸水性樹脂を加えることで、尿の吸収能力を著しく高めることができる。これにより基材の使用量を減らし、浄化槽や下水の負担を減らすことができる。尚、本発明は充填材として無機物を含むことをさまたげるものではないことは請求項１の場合と同様である。
【００１６】
請求項３記載の動物排泄物処理用材は、請求項１又は請求項２の動物排泄物処理用材において、基材は少なくとも吸水性を有するパルプ，植物性繊維屑，紙粉，紙片，木粉，おから，茶殻，コーヒー抽出かす，トウモロコシの芯，ふすま，コーンスターチ，又はでんぷん類のいずれか１種以上を含むことを特徴とする。
【００１７】
基材となる有機物としては特殊な物は必要なく、通常はゴミとして廃棄されるものを再利用することができるが、生分解性の高い物の方がより浄化槽や下水処理場の負担を軽減するので好ましいことは言うまでもない。
【００１８】
請求項４記載の動物排泄物処理用材は、請求項１，請求項２又は請求項３記載の動物排泄物処理用材において、形状が粒状，シート状又は布状であることを特徴とする。
【００１９】
形状は猫砂のような粒状とすることも、ペットシーツのような布状にすることもできるので、動物の大きさ、種類、習性、飼育場所等に合わせた形状とすることができ利用の自由度が大きい。
【００２０】
【発明の実施の形態】
以下、本発明を好適な実施例を用いて説明する。
【００２１】
［実施例］
有機物からなる基材としては、水溶性紙、水溶性バインダーやＰＶＣ等の水溶性フィルム、ＣＭＣ等を組み合わせて使用することができる。基材となる有機物としては特殊な物は必要なく、通常はゴミとして廃棄される吸水性を有するパルプ，植物性繊維屑，紙粉，紙片，木粉，おから，茶殻，コーヒー抽出かす，トウモロコシの芯，ふすま，コーンスターチ，又はでんぷん類等を用いれば資源の再利用を図ることができる。
【００２２】
添加物としては有機物分解バクテリアと有機物分解酵素と浄化槽機能促進剤が適宜配合された四国化成工業製の商品名「ハイポルカ」シリーズを含有させた。
【００２３】
添加物中として有機物分解バクテリアと有機物分解酵素と浄化槽機能促進剤を全て用いてもよいが、これらを単独又は適宜組み合わせてもよい。各添加物を混合して用いれば、各添加物による効果を同時に得ることができる。
【００２４】
添加物により分解が早くなり、消臭効果を得られるので吸着剤，抗菌剤等の薬剤は使用しなかった。これにより安全性は従来のものより向上している。
【００２５】
動物排泄物処理用材の形状は猫砂と同様の粒状としたが、シート状に形成してペットシーツとして利用できるようにしても良い。すなわち、動物の大きさ、種類、習性、飼育場所等に合わせた形状とすることができ、利用の自由度は大きい。これにより従来はトイレに流すことのできなかった犬用のシーツのような大型の処理用材を流すこともできる。
【００２６】
この動物排泄物処理用材は有機物を主体としているため、分解後の残留物が少ないだけでなく、有機物分解バクテリアや有機物分解酵素により有機物が強力に分解され、浄化槽機能促進剤が分解を促進するので、トイレに大量に流した場合でも浄化槽や下水処理場の負担を軽減させることができ、浄化槽の機能回復を図ることもできる。
【００２７】
更に、小型浄化槽においては日々のトイレに流す量の変化が大きいと、微生物の処理能力に限界があるため不調を来し易いものであるが、この動物排泄物処理用材には予め有機物分解バクテリアを含有しているので、そのような場合においても浄化槽内の状態変化を小さくし、不調を来すことを防止することができる。
【００２８】
又、浄化槽の配水管から自然界に流出した場合や土壌に廃棄した場合でも、分解が早いので周辺環境を汚しにくい。万一パイプ内に残った場合でも、その場所で有機物分解バクテリアにより分解して消失するので、パイプ内に長期間残留することはない。
【００２９】
更に有機物分解酵素が便器洗浄剤として働くので、便器の汚れが防止される。
【００３０】
尚、必要により有機物分解バクテリアや有機物分解酵素に悪影響を与えない範囲で界面活性剤や化学消臭剤を添加して、消臭や便器の汚れ防止機能を向上させても良い。
【００３１】
又、適当な量の高吸水性樹脂を加えれば、尿の吸収能力が著しく高くなる。そのため、基材の使用量を大幅に減らすことができ、浄化槽や下水の負担を減らすことができる。
【００３２】
【発明の効果】
以上述べたように本発明により、動物排泄物の臭いを抑えると共に、排水浄化機能を強化することができ、浄化槽や下水処理場の負担を軽減可能で、パイプ詰まりを抑制でき、更には便器の汚れを防止することが可能な動物排泄物処理用材を提供することができる。